(57)【特許請求の範囲】
【請求項１】
開口部を開閉するシャッターカーテンに開閉操作用の手掛け部材を設けるにあたり、前記手掛け部材は、上下方向に対向する一対の手掛り用突起が屋内側に向けて突出形成され、該両手掛り用突起のあいだの平板状部が固定手段を介してスラットの屋内側面に取付けられていることを特徴とする建築用シャッター装置。
【請求項２】
手掛け部材には、スラットに対し上下方向に係合する係合部が形成されていることを特徴とする請求項１記載の建築用シャッター装置。
【発明の詳細な説明】
【０００１】
【発明の属する技術分野】
本発明は、建築物の窓や出入り口部等の開口部に設けられる建築用シャッター装置の技術分野に属するものである。
【０００２】
【従来の技術】
一般に、この種建築用シャッター装置のなかには、シャッターカーテンの上下動（開閉作動）を手動で行うようにしたものがあり、このようなものでは、シャッターカーテンの上下方向中間部に手掛け部材を設け、該手掛け部材を介してシャッターカーテンを上方に押し上げたり、押し下げたりするようにして、操作性の改善を計っている。
ところで、このような手掛け部材を設ける場合、手掛け部材は、上方に持ち上げるときの手掛りとなる部位と、下方に押し下げるときの手掛りとなる部位との両者が必要である。そして、従来では、シャッターカーテンを構成するスラットの一枚に、貫通孔を形成し、該貫通孔に横長矩形の凹溝体を組込み、該凹溝体の上側片または下側片を手掛りとするように構成したもの、あるいは、複数のスラットを用いてシャッターカーテンを形成する際に、手掛りとなる突起が上下縁部に形成された特別なスラットを、シャッターカーテンの上下方向中間部位に予め組込む構成としたもの等が知られている。
【０００３】
【発明が解決しようとする課題】
しかるに、前者のものでは、スラットに貫通孔を形成しなければならず、取付け作業が面倒になるばかりでなく、防水性等を考慮しなければならず製作工程が煩雑になるという問題がある。しかも、シャッターカーテンを巻取りドラムに巻取るようなものにおいて、このような手掛け部材をシャッターカーテンの上下方向中間部に位置するスラットに取付ける場合、巻取りドラムへの巻径が崩れることがないよう、手掛け部材の屋内外方向厚さ（前後方向厚さ）をシャッターカーテンの屋内外方向厚さよりも薄くしなければならないが、スラットの前後方向厚さを薄く形成した、例えば住宅用の窓シャッターのようなものに手掛け部材を設けるような場合では、手掛け部材の屋内外方向厚さも薄くしなければならないという問題がある。
一方、後者のものでは、シャッターカーテンの組込み過程で特別なスラットを組み込まなければならないため、シャッターカーテン製作の工程において自動化が損なわれるという問題があり、これらに本発明が解決しようとする課題があった。
【０００４】
【課題を解決するための手段】
本発明は、上記の如き実情に鑑み、これらの課題を解決することを目的として創作されたものであって、請求項１の発明は、開口部を開閉するシャッターカーテンに開閉操作用の手掛け部材を設けるにあたり、前記手掛け部材は、上下方向に対向する一対の手掛り用突起が屋内側に向けて突出形成され、該両手掛り用突起のあいだの平板状部が固定手段を介してスラットの屋内側面に取付けられていることを特徴とする建築用シャッター装置である。
そして、このようにすることにより、手掛け部材の取付け作業が容易になるばかりでなく、後付けすることも可能となる
請求項２の発明は、手掛け部材には、スラットに対し上下方向に係合する係合部が形成されていることを特徴とする請求項１記載の建築用シャッター装置である。
【０００５】
【発明の実施の形態】
次に、本発明の第一の実施の形態を図１〜図４の図面に基づいて説明する。
図面において、１は住宅の掃出し窓の屋外側に取付けられるシャッター装置のシャッターカーテンであって、該シャッターカーテン１は、後述するように複数のスラット２を連装して構成され、最下端には座板３が連結されたものに構成されている。前記シャッターカーテン１の上端部は、躯体開口部上方に設けたシャッターケース４に回動自在に軸承された巻取りドラム５に連結されている。また、開口部の左右両側部には左右一対のガイドレール６が配設されており、シャッターカーテン１の左右両側部がそれぞれ内嵌されてシャッターカーテン１の開閉移動をガイド（案内）するように設定されている。そして、シャッターカーテン１は、巻取りドラム５の回転に伴い、巻取りドラム５に巻取られて開口部の開放をする開放姿勢と、巻取りドラム５から巻出されて開口部の閉鎖をする閉鎖姿勢とのあいだを開閉移動するように設定されている。
【０００６】
さて、本実施の形態のシャッター装置は手動式であって、巻取りドラム５にはバランス弾機５ａが内装され、シャッターカーテン１が閉鎖作動をすることに伴い、シャッターカーテン１を開放する方向の蓄勢力（付勢力）を蓄勢して、開口部に繰り出されたシャッターカーテン１の自重と略バランスするように設定されている。ここで、前記バランス弾機５ａの蓄勢力は、シャッターカーテン１の閉鎖姿勢（全閉状態）では、シャッターカーテン１の自重を上回る大きさになるように設定されていて、所謂上り勝手となっている。
また、シャッター装置の屋内側には左右一対の引き戸式のガラス戸７が設けられており、シャッター装置の操作は、左右何れか一方のガラス戸７を開放した状態において行うように設定されている。
【０００７】
そして、前記左右一対のガイドレール６は、シャッターカーテン１の左右側縁部を内嵌して移動案内するためのガイド溝６ａが形成されており、これら左右の各ガイド溝６ａの下端部に、施錠装置Ｒを構成する錠受け具８がそれぞれ一体的に設けられている。
一方、前記座板３の屋内側面には取付け凹部３ａが形成され、該取付け凹部３ａの左右両端部に施錠装置Ｒを構成する施錠具９が設けられている。そして、シャッターカーテン１が下動して開口部を全閉する閉鎖姿勢になることに伴い、左右の施錠具９が各ガイドレール６の錠受け具８にそれぞれ自動的に係合（施錠）するように構成されている。さらに、錠受け具８と施錠具９との係合解除（解錠）をするための解錠操作具１０は、左右のガイドレール６を構成するガイド溝６ａの屋内側に位置して配される各枠材６ｂの上下方向中間部にそれぞれ配されており、施錠装置Ｒは、前記左右に配された解錠操作具１０の何れか一方を強制的に上方にスライド変位させる操作を行うことにより、左右の錠受け具８と施錠具９との係合が解除（解錠）されるように構成されている。このとき、前記解錠操作具１０の配設位置は、前述したように、開口部の上下方向中間部となっているが、室内側に立つ平均的な大人が、起立したままで操作できる高さになっている。
【０００８】
ところで、シャッターカーテン１を構成する前記各スラット２は、上下縁部にインターロック部２ａ、２ｂが折曲形成されており、上下方向中間部に位置するスラット本体部２ｃは下端部ほど屋外側に位置するよう傾斜状に形成され、これによって、屋外側面における雨水対策が計られている。さらに、各スラット２は、上側インターロック部２ａとスラット本体部２ｃとのあいだに位置し下方ほど屋内側に傾斜する上側傾斜片２ｄと、スラット本体部２ｃと下側インターロック部２ｂとのあいだに位置し下方ほど屋内側に傾斜する下側傾斜片２ｅとが折曲形成されている。因みに、シャッターカーテン１の屋内外方向厚さＨ１は、スラット２の下側インターロック部２ｂの前端部とスラット本体部２ｃの上側の屋外側面とのあいだの長さ寸法に設定されている。
【０００９】
そして、このようにして構成されたシャッターカーテン１の屋内側面に、本発明が実施された手掛け部材１１が取付けられている。前記手掛け部材１１は、樹脂材で一体型成形して長尺状に形成されており、本実施の形態では、シャッターカーテン１左右幅の略１／４程度の長さに設定された手掛け部材１１の一対が、シャッターカーテン１の左右にそれぞれ設けられている。尚、手掛け部材１１としては、左右方向に長い一つの手掛け部材１１をシャッターカーテン１の左右幅全長に亘って設けることも可能であり、また、適宜長さに設定したものを複数設けることも可能であり、配設箇所や、種々の条件等に応じて適宜対応することができる。さらには、手掛け部材１１の左右両端部位置は、ガラス戸７を全開しない状態で手掛け部材１１に手を掛けてシャッターカーテン１の開放作動ができるような位置に設定されている。
【００１０】
前記手掛け部材１１は、後述するようにスラット本体部２ｃに固定される固定部１１ａが、本体部２ａに沿うよう傾斜状に形成されており、該固定部１１ａの上縁部に、屋内外方向に突出する上片部が形成されている。この上片部は、屋内側ほど下位に位置する傾斜状に形成されており、該上片部の固定部１１ａに続く屋外側部位は、上側支持片１１ｂとなってスラット上側傾斜片２ｄの屋内側面に沿って配設されるように構成されている。また、前記上片部の屋内側部位は本発明の手掛り用突起に相当する上側突起１１ｃとなって、シャッターカーテン１を上動操作（開放操作）するときの手掛けとなるように構成されている。
さらに、前記手掛け部材固定部１１ａの下縁部には、屋内側に向けて折返し状に折曲する下側突起１１ｄ（本発明の手掛り用突起に相当する）が形成されておりシャッターカーテン１を下動操作（閉鎖操作）するときの手掛けとなるように構成されている。さらに、前記下側突起１１ｄの屋外側面部位である折返し面部１１ｅは、スラット下側傾斜片２ｅから下側インターロック部２ｂに至る部位の屋内側面に沿う形状に形成されている。
【００１１】
このように形成された手掛け部材１１は、上下方向適位置に位置するスラット２の左右方向適位置に固定されることになるが、本実施の形態では、固定部１１ａの屋外側面に、固定部１１ａの上下方向長さ全長に亘る幅に設定された両面テープ１２の一方の面を接着し、該両面テープ１２の他方の面をスラット本体部２ａに接着することで固定されている。この固定状態において、手掛け部材１１の上側支持片１１ｂがスラット上側傾斜片２ｄの屋内側面に沿っており、下側の折返し面部１１ｅがスラット下側傾斜片２ｅから下側インターロック部２ｃに至る部位の屋内側面に密接状に沿う状態となっている。このとき、手掛け部材下側突起１１ｄの屋外側端部となる先端部１１ｆは、上下のスラット２の連結部である上下のインターロック部２ａ、２ｂ連結部に形成される隙間に入り込むような状態で取付けられている。
【００１２】
そして、操作者は手指の先端を上側突起１１ｃと下側突起１１ｄとのあいだに差し込み、上側突起１１ｃ下側面を下側から持ち上る、または、下側突起１１ｄ上側面を上側から押し下げるようにすることで、シャッターカーテンの開放操作または閉鎖操作を行うことができる。このとき、上側突起１１ｃの下側面または下側突起１１ｄの上側面は、それぞれ固定部１１ａに対して略直交向する状態となっており、また、固定部１１ａは上下方向に長い面を有した両面テープ１２によって固着されている。これによって、シャッターカーテン１を開閉操作するべく各突起１１ｃ、１１ｄに対して上下方向に向く負荷を作用した場合に、該負荷による両面テープ１２を剥離しようとする力は、上下方向に長く固着した両面テープ１２全体で受けることになって、両面テープ１２が剥離しにくくなるように構成されている。しかも、手掛け部材１１は、上側突起１１ｃを持ち上げるときは下側突起１１ｄの先端部１１ｆが下側インターロック部２ｃを押しやる状態となり、スラット２に対して上下方向に係合する係合部材として機能し、下側突起１１ｄを押し下げるときは上側支持片１１ｂがスラット上側傾斜片２ｄを押しやる状態となり、スラット２に対して上下方向に係合する係合部材として機能し、これによって、手掛け部材１１自体の補強がなされるとともに、両面テープ１２への負荷をさらに低減できるように設定されている。
【００１３】
ところで、シャッターカーテンに手掛け部材１１を固定したとき、該固定部位における屋内外方向の板厚Ｈ２は、図２（Ｂ）に示すように、シャッターカーテン１の屋内外方向の板厚Ｈ１よりも厚く（Ｈ２＞Ｈ１）なっている。
一方、本実施の形態のシャッターカーテン１は、図４に示すように、屋外側面が内径側に位置する状態で巻取りドラム５に巻取られる、所謂逆巻方式の巻装状態となっている。このため、シャッターカーテン１を巻取りドラム６に巻取る場合に、手掛け部材１１は、外径側に突出した状態で巻取られることになり、該手掛け部材１１の固定部位が巻取りドラム５に巻取られ、さらにその外径側（外側）に、前記手掛け部材１１の固定部位よりも閉鎖側のシャッターカーテン１が巻取られると、巻径に歪みが生じる惧れがある。そこで、本実施の形態では、図４に示すように、シャッターカーテン１を巻取りドラム５に巻取って、開口部を全開状態とする開放姿勢にしたとき、外側にシャッターカーテン１が巻取られない部位の何れかのスラット２に手掛け部材１１を設けるようにして、手掛け部材１１固定位置よりも閉鎖側のシャッターカーテン１が手掛け部材１１に干渉しないように設定されている。
【００１４】
このようにして位置決めして取付けられた手掛け部材１１の上下方向位置は、本実施の形態のシャッター装置では、図１の実線で示すように、シャッターカーテン１の閉鎖姿勢において、解錠操作具１０よりも僅かに下方位置に設定されている。そして、シャッターカーテン１は、前述したようにバランス弾機５ａの付勢力により上り勝手に設定されていることから、解錠操作具１０を操作して錠受け具８と施錠具９との係合を解除したとき、シャッターカーテン１はバランス弾機５ａの付勢力を受けて上動し、図１の仮想線で示すように、解錠操作具１０の上下方向の取付け位置と、手掛け部材１１の上下方向の固定位置とが略等しい位置関係となっており、もって、手掛け部材１１がより操作しやすい適位置に変位するように設定されている。
【００１５】
さらに、手掛け部材１１を固定した部位の屋内外方向の板厚Ｈ２は、手掛け部材１１が固定されたシャッターカーテン１部位が、開口部上方のシャッターケース４への呑込み部からシャッターケース４内を移動するにあたり、シャッターケース４に干渉することがなく、しかも、上下の突起１１ｃ、１１ｄが手掛として機能できる寸法に設定されている。因みに、本実施の形態のシャッターケース４は、コンパクト化を実施するため、シャッターカーテン１の最大巻径に対して近接状の側面を有して構成されており、手掛け部材１１の突出寸法は、シャッターケース４側面と前記最大巻径との間隙、そして、開口部上方の呑込み部の寸法を考慮して設定されている。
【００１６】
叙述の如く構成された本発明の実施の形態において、引き戸式のガラス戸７の屋外側に設けられた手動式のシャッター装置は、左右何れかのガラス戸７を開放してシャッターカーテン１の下端部を少し引き下ろし、続いて、シャッターカーテン１屋内側面に設けられた手掛け部材１１の下側突起１１ｄを押し下げることで開口部が閉鎖され、錠受け具８と施錠具９との施錠がなされる。一方、閉鎖姿勢のシャッターカーテン１を開放する場合では、左右何れか一方のガラス戸７を開放し、解錠操作具１０を操作することで錠受け具８と施錠具９とを解錠し、シャッターカーテン１の屋内側面の上下方向中間部に固定された手掛け部材１１の上側突起１１ｄを持ち上げることで開口部が開放する。このように、シャッターカーテン１の開閉操作は、上下方向中間部の操作しやすい位置に設けられた手掛け部材１１を操作することにより操作性よく行うことができる。
さらにこの場合に、手掛け部材１１は、スラット２の本体部２ｃに沿うように形成された固定部１１ａを、両面テープ１２を介して固定することにより取付けられているので、従来のスラットに貫通孔を形成するような手間がかかるようなことがなく、シャッターカーテン１に手掛け部材１１を固定する作業が容易となる。しかも、このものでは、従来のようにシャッターカーテンを製作する過程で特別なスラットを組込むような必要がないので、シャッターカーテン1を製作した後、手掛け部材１１を取り付けることができて後付けが容易となり、シャッターカーテン１製作の自動化も可能となって、生産性が向上する。
【００１７】
さらに、本実施の形態のものでは、手掛け部材１１は、上下方向幅広に設定された固定部１１ａの上下に、板面に対して略直交する面を有した上、下側突起１１ｃ、１１ｄとしての手掛り用突起が形成されている。このため、上、下側突起１１ｃ、１１ｄに上下方向の負荷が作用したとき、固定部１１ａとスラット本体部２ｃとのあいだに貼着された両面テープ１２の面全体で負荷を受けることになって、両面テープ１２の剥離が防止される。しかも、手掛け部材１１には、上下方向の負荷に対応して、スラット２の上下の傾斜片２ｄ、２ｅに上下方向係合する上側支持片１１ｂと、下側突部先端部１１ｆとが形成されているため、両面テープ１２のさらなる剥離防止を計ることができる。
【００１８】
また、このものでは、手掛け部材１１を固定することで、該固定部位のシャッターカーテン１の屋内外方向の板厚Ｈ２が厚くなるが、このものでは、手掛け部材１１が固定される屋外側面が外径となる逆巻方式となっており、そして、シャッターカーテン１を全開状態の開放姿勢としたとき、前記固定部位の外径に、該固定部位よりも閉鎖側のシャッターカーテン１が巻取られない位置関係で手掛け部材１１が設けられている。このため、手掛け部材１１がシャッターカーテン１の板厚Ｈ１よりも厚い板厚Ｈ２を有したものであっても、巻取りドラム６の巻径に影響を与えることがない。
【００１９】
前述のような位置決めで手掛け部材１１を位置設定した場合、手掛け部材１１の取付け位置は、シャッターカーテン１の上下方向中央部というよりは下側気味になるが、このものでは、シャッターカーテン１は開口部を全閉状態とする閉鎖姿勢では上り勝手に付勢されているので、解錠操作具１１による解錠操作と同時に上動変位し、手掛け部材１１の固定位置も上動して、より操作しやすい位置に変位させることができて、操作性のさらなる向上を計れる。
【００２０】
また、このものでは、施錠装置Ｒの解錠操作具１０がガイドレール６の上下方向中間位置であり、操作者が起立したままで操作しやすい部位に位置して設けられている。このため、一方のガラス戸７を少し開放して、解錠操作具１０を操作し、それに続いて手を左右方向に移動させれば、解錠操作具１０と略同位置にまで上動した手掛け部材１１を操作することができ、このようにしてシャッターカーテン１を開放できることにより、無駄な動きをすることなくシャッターカーテン１の開放作動が行えて、操作者の負担を軽減することができる。
【００２１】
尚、本発明は前記実施の形態に限定されないことは勿論であって、手掛け部材をスラットに固定する手段としては、前記第一の実施の形態で用いられる両面テープの他に、接着剤やビス止め等による固定も可能である。
また、手掛け部材の第二の実施の形態を図５、６に示す。
これらの図面において、シャッターカーテン１、ガイドレール６等の基本構成は、何れも前記第一の実施の形態と同様の構成となっている。そして、本実施の形態の手掛け部材１３は、前記第一の実施の形態の手掛け部材１１と同様に、固定部１３ａ、上側支持片部１３ｂ、上側突起１３ｃ、下側突起１３ｄ、折返し面部１３ｅ、先端部１３ｆを備えて形成されている。そして、さらに本実施の形態の手掛け部材１３は、上側支持片１３ｂおよび上側突起１３ｃの上縁部に、スラット２の上側インターロック部２ｂに沿って伸長し、上下のインターロック部２ｂ、２ｃ間に形成される隙間に挟持状に嵌入する嵌入支持片１３ｇが一体形成されている。これによって、手掛け部材１３自体の補強がなされるとともに、手掛け部材１３に作用する上下方向の負荷に基づくスラット２との固着部への負荷をさらに低減させる効果が期待できる。さらには、手掛け部材１３のスラット２への装着姿勢の安定化の向上も期待できる。
【図面の簡単な説明】
【図１】シャッター装置の概略背面図である。
【図２】図２（Ａ）、（Ｂ）はそれぞれ要部を説明する斜視図、側面図である。
【図３】図３（Ａ）、（Ｂ）はそれぞれ手掛け部材の側面図、要部の背面図である。
【図４】シャッターケース内におけるシャッターカーテンの巻取り状態を説明する側面図である。
【図５】図５（Ａ）、（Ｂ）はそれぞれ第二の実施の形態における要部を説明する斜視図、側面図である。
【図６】図６（Ａ）、（Ｂ）はそれぞれ第二の実施の形態における手掛け部材の側面図、要部の背面図である。
【符号の説明】
１    シャッターカーテン
２    スラット
２ａ    上側インターロック部
２ｃ    本体部
４    シャッターケース
５    巻取りドラム
５ａ    バランス弾機
６    ガイドレール
７    ガラス戸
８    錠受け具
９    施錠具
１０    解錠操作具
１１    手掛け部材
１１ａ    固定部
１１ｂ    上側支持片
１１ｃ    上側突起
１１ｄ    下側突起
１２    両面テープ
【図１】
0003997399.tif 000002
【図２】
0003997399.tif 000003
【図３】
0003997399.tif 000004
【図４】
0003997399.tif 000005
【図５】
0003997399.tif 000006
【図６】
0003997399.tif 000007